(57)【特許請求の範囲】
【請求項１】
直管部と蛇腹部とにより構成される管本体の外周に、金属製パイプなどよりなるカバー体を被嵌してなるフレキシブル管において、前記蛇腹部よりも大径な円板の中央部位に前記直管部用の挿通孔を開設すると共に、円板の他方側面の外周縁にはフランジ部を周設してなる円筒状の支持金具を設け、前記フレキシブル管の管本体の直管部に支持金具の挿通孔を介して円板の平板状の一方側面が蛇腹部に当接するように取付けると共に、補強用リング体を介して押圧しつつ蛇腹部に固着化し、固着化された支持金具のフランジ部の外周面には、保護用カバー体の内周面が接合するように被嵌させて固定化することを特徴とする保護用カバー体付きのフレキシブル管。
【請求項２】
管本体の両端側を直管部には、他部材との継手部材を一体的に取付けることを特徴とする請求項１記載の保護用カバー体付きのフレキシブル管。
【請求項３】
支持金具において周設されたフランジ部の所定箇所にはボルト用挿通穴を開設し、このボルト用挿通穴の内周面側にはナット部を付設し、このナット部にカバー体を挿通したボルトを螺合することを特徴とする請求項１または２記載の保護用カバー体付きのフレキシブル管。
【請求項４】
支持金具にける挿通孔の他方側面の孔周縁には、補強用縁部を突設することを特徴とする請求項１，２または３記載の保護用カバー体付きのフレキシブル管。
【発明の詳細な説明】
【０００１】
【発明の属する技術分野】
この発明は、管本体を被嵌するカバー体の固定支持を軽量な１種類の部品により行い、コストの低減化と管本体の軽量化を図った保護用カバー体付きのフレキシブル管に関するものである。
【０００２】
【従来の技術】
従来、配管途中において伸縮吸収性を要するような箇所に用いられるフレキシブルな継手装置として、図４，図５に示したような保護用カバー体付きのフレキシブル管が用いられている。
【０００３】
このフレキシブル管においては、長尺体のものと短尺体のものとがあるが、長尺体の場合には、図４に示すように、管本体１はその両端側と中間部分とが直管部１ａ，・・として形成され、残余の部分が蛇腹部１ｂ，１ｂとして形成されている。そして、この管本体１の両端側の直管部１ａ，１ａには、他部材と接続される継手部材としてのフランジ部７が設けられている。また、管本体１の外周には、金属製のパイプよりなるカバー体２が管本体１を被覆・保護するように固定支持されている。
【０００４】
管本体１の外周に金属製のカバー体２を固定支持するためには、蛇腹部１ｂ，１ｂに挟まれた管本体１の中央部の直管部１ａに２つのリング体３，３が嵌め込まれ、各リング体３，３は左右の蛇腹部１ｂ，１ｂに当接される。そして、このリング体３，３間に補強用リング体４を介在させ、リング体３，３と補強用リング体４との接合箇所に溶接５を施し、リング体３，３を管本体１に対して固着させると共に、その外周面が管本体１の蛇腹部１ｂより固定的に張出するようにしている。
【０００５】
一方、管本体１の両端側の直管部１ａ，１ａには、パイプ本体６ａの一端側にその断面がコ字状となるように外周筒６ｂを設けたガイドパイプ６が、外周筒６ｂの平板面６ｃ側が蛇腹部１ｂに当接するように被嵌され、また、このガイドパイプ６の他端側に継手部材とされるフランジ部７を嵌合し、ガイドパイプ６とフランジ部７との接合箇所に溶接５を施し、ガイドパイプ６の外周筒６ｂの外周面が管本体１の蛇腹部１ｂより固定的に張出するようにしている。
【０００６】
しかして、管本体１を被嵌するカバー体２は、その中間部にあってはリング体３の外周面との接合箇所において１２０゜の間隔を隔てた３ヵ所が溶着され（図示略）、また、ガイドパイブ６の外周筒６ｂの周面との接合箇所にあっても１２０゜の間隔を隔てた３ヵ所がカバー体２の挿通穴２ａを挿通したボルト８を介して螺合され、これによりカバー体２は管本体１の外周に固定支持されている。
【０００７】
なお、９は管本体１内に挿通される内筒であり、１０は補強用リング体４に取付けられるアンカーベースである。
【０００８】
また、図５に示すフレキシブル管は、短尺体の場合のものであり、管本体１の両端側だけを直管部１ａ，１ａとし、その中間部分は蛇腹部１ｂのみとされている。
【０００９】
この場合、一方側の直管部１ａには、図４に示したと同様にパイプ本体６ａの一端側に断面がコ字状となるように外周筒６ｂを設けたガイドパイプ６が被嵌されているが、他方側の直管部１ａには、パイプ本体１１ａの一端側にフランジ板１１ｂを形成したガイドパイプ１１が被嵌されている。
【００１０】
なお、図示したように、ガイドパイプ６とガイドパイプ１１とを組み合わせて用いるか、ガイドパイプ６同士またはガイドパイプ１１同士の組み合わせによるかは、適宜選択可能な設計事項である。
【００１１】
いずれにせよ、ガイドパイプ６は外周筒６ｂの平板面６ｃ側が蛇腹部１ｂに当接するように管本体１に被嵌され、ガイドパイプ１１はそのフランジ板１１ｂが蛇腹部１ｂに当接するように被嵌され、それぞれの外周面が管本体１の蛇腹部１ｂより固定化して突出されると共に、被嵌されたカバー体２とガイドパイプ６，１１の外周面とが固定化される。
【００１２】
【発明が解決しようとする課題】
しかしながら、このような従来の保護用カバー体付きのフレキシブル管では、管本体１の中間部分に蛇腹部１ｂ，１ｂを挟んで直管部１ａが設けられた長尺体の場合には、カバー体２を固定的に支持するために、中央部の直管部１ａには左右の蛇腹部１ｂ，１ｂに当接するリング体３，３を嵌め込むと共に、リング体３，３間に補強用リング体４を介在させて固定化し、このリング体３の外周面によりカバー体２を固定支持するように構成されている。
【００１３】
しかして、このリング体３は管本体１の直管部１ａを挿通する挿通孔（図示略）を開設した一定厚で重量のあるリング体として形成されているため、リング体３の使用数が増えれば増える程フレキンブル管が重量物になるという問題があり、また、このようなフレキシブル管を用いた継手装置も重量物になるという問題がある。
【００１４】
また、両端側の直管部１ａには、継手用のフランジ部７を接続する必要がある等の理由から、カバー体２の固定支持のために補強用リング体４を伴うリング体３を被嵌させず、リング体３とは別部品であるガイドパイプ６やガイドパイプ１１を被嵌させ、これらガイドパイプ６，ガイドパイプ１１の外周面を介してカバー体２の両端側を固定化している。
【００１５】
このように、従来の保護用カバー体付きのフレキシブル管は、カバー体２の固定支持のために、少なくともリング体と補強リング体、また、リング体とは別部品であるガイドパイプを準備しなければならず、部品点数が増えコトス高になるなどの問題がある。
【００１６】
この発明は、このような事情に基づいてなされたものであり、その目的とするところは、軽量な１種類の部品で長尺あるいは短尺の管本体に対するカバー体の固定支持を行うことができ、コトスの軽減化を図ると共に、管本体の軽量化等も図ることができる保護用カバー体付きフレキシブル管を提供することにある。
【００１７】
【課題を解決するための手段】
この発明は、上記のような目的を達成するために、請求項１記載のように、直管部と蛇腹部とにより構成される管本体の外周に、金属製パイプなどよりなるカバー体を被嵌してなるフレキシブル管において、前記蛇腹部よりも大径な円板の中央部位に前記直管部用の挿通孔を開設すると共に、円板の他方側面の外周縁にはフランジ部を周設してなる円筒状の支持金具を設け、前記フレキシブル管の管本体の直管部に支持金具の挿通孔を介して円板の平板状の一方側面が蛇腹部に当接するように取付けると共に、補強用リング体を介して押圧しつつ蛇腹部に固着化し、固着化された支持金具のフランジ部の外周面には、保護用カバー体の内周面が接合するように被嵌させて固定化することを特徴とする。
【００１８】
また、請求項２記載のように、管本体の両端側を直管部には、他部材との継手部材を一体的に取付けることを特徴とし、請求項３記載のように、支持金具において周設されたフランジ部の所定箇所にはボルト用挿通穴を開設し、このボルト用挿通穴の内周面側にはナット部を付設し、このナット部にカバー体を挿通したボルトを螺合することを特徴とし、請求項４記載のように、支持金具にける挿通孔の他方側面の孔周縁には、補強用縁部を突設することを特徴とする。
【００１９】
【発明の実施の形態】
以下、この発明の実施例を図面に基づき詳細に説明する。図１は、この発明に係る保護用カバー体付きフレキシブル管の１例を示す説明用断面図である。なお、従来と同一部材には同一の符号を付して説明する。
【００２０】
図１に示すように、フレキシブル管を構成する管本体１は、その両端側と中央部が直管部１ａ，・・として形成され、残余の部分が蛇腹部１ｂ，１ｂとして形成されている。そして、この管本体１の中央部の直管部１ａには左右の蛇腹部１ｂ，１ｂに当接するように一対の支持金具１２，１２が挿嵌されている。
【００２１】
この支持金具１２は、図２に示すように、蛇腹部１ｂよりも大径でその中央部位に直管部１ａ用の挿通孔１４を開設した円板１３を形成し、その円板１３の他方側面の外周縁より短幅のフランジ部１５を周設した円筒体として形成されている。また、フランジ部１５には１２０゜の間隔を隔てた３ヵ所にボルト挿通穴１６が開設され、このボルト挿通穴１６の内周面側にはボルト螺合用のナット部１７が付設されている。
【００２２】
さらに、円板１３に開設された挿通孔１４の他方側面の孔周縁からは、直管部１ａの外周面に接合する短長の補強用縁部１８が突設されている。なお、９は管本体１内に挿通される内筒であり、１１は補強用リング体４に取付けられるアンカーベースである。
【００２３】
次に、このフレキシブル管の組み立てについて説明する。まず、蛇腹部１ｂの両端側を直管部１ａ，１ａとした一対の短尺な管本体１，１を形成し、この管本体１，１の一方側の直管部１ａ，１ａに対し、挿通孔１３，１３を介して平板状である円板１３，１３の一方側面が最外の蛇腹部１ｂ，１ｂに当接するようにして支持金具１２，１２を取付ける。
【００２４】
その後、支持金具１２，１２が取付けられた直管部１ａ，１ａ同士を突き合わせ溶接５して両管本体１，１を接続し、その両端側と中央部が直管部１ａとされ、また、中央部の直管部１ａの左右側が蛇腹部１ｂ，１ｂとされたフレキシブル管を形成する。
【００２５】
そして、中央部の直管部１ａに嵌め込まれた一対の支持金具１２，１２間に補強リング４を介在させ、この補強リング４が支持金具１２，１２を押圧し、支持金具１２，１２における挿通孔１４の孔周縁から突設されている補強用縁部１８との接合箇所に溶接５を施し、支持金具１２，１２の固定化を図る。
【００２６】
一方、両端側の直管部１ａ，１ａにも、支持金具１２，１２を挿通孔１４，１４を介して平板状である円板１３，１３の一方側面が管本体１，１の最外の蛇腹部１ｂ，１ｂに当接するように取付け、この補強リング４が支持金具１２，１２を押圧し、支持金具１２，１２における挿通孔１４の孔周縁から突設されている補強用縁部１８との接合箇所に溶接５を施し、支持金具１２，１２の固定化を図る。
【００２７】
この状態で、金属製のパイプよりなるカバー体２を管本体１の蛇腹部１ｂより張出している支持金具１２，・・・を被覆するように挿嵌し、管本体１の両端側に挿嵌されたカバー体２は、支持金具１２のフランジ部１５に１２０゜の間隔を隔てて３ヵ所に設けられているナット部１７に対し、カバー体２の挿通孔２ａを挿通したボルト８を螺合させ支持金具１２に固定化される。
【００２８】
また、中央部の直管部１ａに固定化されている支持金具１２，１２とカバー体２とは上記と同様にボルト８を介して固定化してもよいが、この実施例の場合には、支持金具１２のフランジ部１５の外周面に接合する箇所の１２０゜の間隔を隔てた３ヵ所が溶接（図示略）され支持金具１１に溶着される。
【００２９】
カバー体２が支持金具１２，・・・に固定化されると、管本体１の直管部１ａ，１ａの端部には他部材との継手部材としてのフランジ部７，７が溶着され、保護用カバー体付きのフレキシブル管とされる。
【００３０】
また、図３に示すものは、管本体１の中央部に直管部１ａを形成せず、両端側を直管部１ａ，１ａとし中間部分を蛇腹部１ｂのみとした短尺のフレキシブル管よりなる保護用カバー体付きフレキシブル管に係るものである。この場合には、直管部１の一方側は支持金具１２のナット部１７とボルト１８を用いてカバー体２を固定化し、また、直管部１の他方側は支持金具１２のナット部１７を用いず単に支持金具１２のフランジ部１５の外周面とカバー体２を溶着した例を示している。
【００３１】
このように、これらの実施例によれば、カバー体２を管本体１の外周に被嵌して固定支持するに際し、従来のように直管部１ａの両端側のカバー体２を固着化するための複雑に屈曲された形状のガイドパイプ６やガイドパイプ１１、また、直管部１ａの中間部分のカバー体２を固着化するための重量のあるリング体３など、複数の別部品を準備する必要がなく、１種類の支持金具１２ですむためコストの低減化を図ることができる。
【００３２】
また、共通して使える１種類の支持金具１２は、従来のリング体３のように一定厚の重量物ではなく、中空円筒体の軽量物として形成されているので、管本体１に対する荷重を軽減化することができる。
【００３３】
さらに、支持金具１２はその外周縁に周設されているフランジ部１５において、１２０゜の間隔を隔てた３ヵ所にナット部１７，・・・が設けられているので、管本体１の両端側のカバー体２の固定化を行に際し、ナット部１７にカバー体２を挿通したボルト８を螺合することにより容易に固定化することができ、また、ナット部１７を用いず単にカバー体２と支持金具１１のフランジ部１４の外周面とを溶着するようにしてもよく、いずれにせよカバー体２の固定化を容易に行うことができる。
【００３４】
【発明の効果】
以上説明したように、この発明によれば、直管部と蛇腹部とを有する管本体の外周に金属製パイプなどのカバー体を被覆させて固定支持する際に、１種類の軽量な支持金具のみで行えるように構成されているので、伸縮吸収性を有する保護用カバー体付きのフレキシブル管を、従来に比して低コストで提供することができると共に、その軽量化を図ることもできる。
【図面の簡単な説明】
【図１】この発明に係る保護用カバー体付きフレキシブル管の１例を示す説明用断面図である。
【図２】図１における支持金具の説明用断面図である。
【図３】この発明に係る保護用カバー体付きフレキシブル管の他例を示す説明用断面図である。
【図４】従来の保護用カバー体付きフレキシブル管の１例を示す説明用断面図である。
【図５】従来の保護用カバー体付きフレキシブル管の他例を示す説明用断面図である。
【符号の説明】
１    管本体
２    カバー体
４    補強用リング体
７    フランジ部
８    ボルト
１２  支持金具
１３  円板
１４  直管部用の挿通孔
１５  フランジ部
１６  ボルト用挿通穴
１７  ナット部
【図１】
0003837604.tif 000002
【図２】
0003837604.tif 000003
【図３】
0003837604.tif 000004
【図４】
0003837604.tif 000005
【図５】
0003837604.tif 000006